(57)【特許請求の範囲】
【請求項１】
記録媒体に記録された、ニュース、スポーツ、ドラマ、演芸、娯楽、討論の何れかであって、デジタル放送されたテレビ番組の映像コンテンツを再生して表示する表示部と、前記記録媒体に記録され、当該映像コンテンツを特定し、番組特定情報に含まれる情報からなるコンテンツ識別子、及び当該コンテンツ識別子で特定される前記映像コンテンツの時間軸に沿った進行を特定するための、番組配列情報のうちのＴＯＴ又はＴＤＴに含まれる情報からなる時間識別子を抽出して、当該コンテンツ識別子及び当該時間識別子を送信する送信部とを備えた映像表示装置と、
前記映像表示装置と通信可能に接続され、画像を表示可能な表示部を備えた端末表示装置と、
前記端末表示装置と通信可能に接続され、前記コンテンツ識別子及び当該コンテンツ識別子ごとに前記時間識別子に関連付けた関連情報を格納した格納部と、前記関連情報を通信ネットワークを介して送信する送信部とを備えた関連情報送信装置とから構成され、
前記映像表示装置の前記送信部は、前記表示部で表示される前記映像コンテンツの時間軸に沿った進行に伴い、前記記録媒体に記録された前記時間識別子を送信し、
前記関連情報送信装置は、前記コンテンツ識別子及び前記時間識別子を受信した場合、前記コンテンツ識別子に関して当該時間識別子に関連付けられて前記格納部に格納された前記関連情報を前記通信ネットワークを介して前記端末表示装置に送信し、
前記端末表示装置は、受信した前記関連情報に対応する画像を当該端末表示装置の前記表示部に表示させることを特徴とする映像関連情報送信システム。
【請求項２】
記録媒体に記録された、ニュース、スポーツ、ドラマ、演芸、娯楽、討論の何れかであって、デジタル放送されたテレビ番組の映像コンテンツを再生して表示する表示部と、前記記録媒体に記録され、当該映像コンテンツを特定し、番組特定情報に含まれる情報からなるコンテンツ識別子、及び当該コンテンツ識別子で特定される前記映像コンテンツの時間軸に沿った進行を特定するための、番組配列情報のうちのＴＯＴ又はＴＤＴに含まれる情報からなる時間識別子を抽出して、当該コンテンツ識別子及び当該時間識別子を送信する送信部とを備えた映像表示装置と、
前記映像表示装置と通信可能に接続され、前記コンテンツ識別子及び当該コンテンツ識別子ごとに前記時間識別子に関連付けた関連情報を格納した格納部と、前記関連情報を通信ネットワークを介して送信する送信部とを備えた関連情報送信装置とから構成され、
前記映像表示装置の前記送信部は、前記表示部で表示される前記映像コンテンツの時間軸に沿った進行に伴い、前記記録媒体に記録された前記時間識別子を送信し、
前記関連情報送信装置は、前記コンテンツ識別子及び前記時間識別子を受信した場合、前記コンテンツ識別子に関して当該時間識別子に関連付けられて前記格納部に格納された前記関連情報を前記通信ネットワークを介して前記映像表示装置に送信し、
前記映像表示装置は、受信した前記関連情報に対応する画像を前記表示部に表示させることを特徴とする映像関連情報送信システム。
【請求項３】
前記関連情報は、前記映像コンテンツの時間軸に沿った進行に沿って画像が連続して変化する映像データであることを特徴とする請求項１又は２の何れか１項に記載の映像関連情報送信システム。
【請求項４】
前記端末表示装置は、前記映像表示装置から送信された前記コンテンツ識別子を受信する受信部と、該受信部が受信した前記コンテンツ識別子を前記関連情報送信装置に送信する送信部とを備えることを特徴とする請求項１に記載の映像関連情報送信システム。
【請求項５】
前記記録媒体は、前記映像コンテンツをデジタル読み出し可能に格納した記録媒体であることを特徴とする請求項１から４の何れか１項に記載の映像関連情報送信システム。
【請求項６】
前記映像コンテンツ及び前記コンテンツ識別子は、デジタル放送されたテレビ番組をビデオレコーディング方式（ＶＲ方式）又はダイレクトレコーディング方式（ＤＲ方式）で前記記録媒体に記録したデータであることを特徴とする請求項１から５の何れか１項に記載の映像関連情報送信システム。
【請求項７】
前記映像表示装置は、デジタル放送されたテレビ番組の映像コンテンツ及び前記コンテンツ識別子を、無線又は有線の通信回線を介して受信する受信部と、該受信部が受信した前記映像コンテンツ及び前記コンテンツ識別子を前記記録媒体に記録する記録部とを備えることを特徴とする請求項１から６の何れか１項に記載の映像関連情報送信システム。
【請求項８】
前記関連情報は、前記コンテンツ識別子が示す映像コンテンツに関連する広告情報であることを特徴とする請求項１から７の何れか１項に記載の映像関連情報送信システム。
【請求項９】
前記広告情報は、画像情報、映像情報、テキスト情報、音声情報の少なくとも何れかであることを特徴とする請求項８に記載の映像関連情報送信システム。
【請求項１０】
前記通信ネットワークは、インターネットであることを特徴とする請求項１から９の何れか１項に記載の映像関連情報送信システム。
【請求項１１】
前記通信回線は、有線又は無線であることを特徴とする請求項７に記載の映像関連情報送信システム。
【請求項１２】
前記関連情報は、前記時間識別子に対応する前記映像コンテンツの進行中のシーンに関連する広告情報であることを特徴とする請求項１から１１の何れか１項に記載の映像関連情報送信システム。
【請求項１３】
前記関連情報送信装置の前記格納部は、前記端末表示装置に関連する端末データを格納しており、
前記関連情報送信装置の前記送信部は、前記端末データに基づいて、前記関連情報を通信ネットワークを介して前記端末表示装置に送信することを特徴とする請求項１又は４に記載の映像関連情報送信システム。
【請求項１４】
前記関連情報送信装置の前記格納部は、前記端末表示装置に関連する端末データを格納しており、
前記関連情報送信装置の前記送信部は、前記端末データ又は前記端末表示装置から送信されたデータに基づいて、前記関連情報を前記端末表示装置に送信することを特徴とする請求項１又は４に記載の映像関連情報送信システム。
【請求項１５】
記録媒体に記録され、ニュース、スポーツ、ドラマ、演芸、娯楽、討論の何れかであって、デジタル放送されたテレビ番組の映像コンテンツを再生して表示部で表示する映像表示装置が前記記録媒体から抽出した、当該映像コンテンツを特定し、番組特定情報に含まれる情報からなるコンテンツ識別子、及び当該コンテンツ識別子で特定される前記映像コンテンツの時間軸に沿った進行を特定するための、番組配列情報のうちのＴＯＴ又はＴＤＴに含まれる情報からなる時間識別子を、前記表示部で表示される前記映像コンテンツの時間軸に沿った進行に伴い、関連情報送信装置が受信するステップと、
前記関連情報送信装置が、前記コンテンツ識別子及び前記時間識別子に関連付けた関連情報を格納した格納部から、前記受信したコンテンツ識別子及び前記時間識別子に関連付けされた前記関連情報を、通信ネットワークを介して、前記関連情報に対応する画像を表示可能な端末表示装置に送信するステップとを備えたことを特徴とする映像関連情報送信方法。
【請求項１６】
ニュース、スポーツ、ドラマ、演芸、娯楽、討論の何れかであって、デジタル放送されたテレビ番組の映像コンテンツを特定し、番組特定情報に含まれる情報からなるコンテンツ識別子、及び当該コンテンツ識別子で特定される前記映像コンテンツの時間軸に沿った進行を特定するための、番組配列情報のうちのＴＯＴ又はＴＤＴに含まれる情報からなる時間識別子に関連付けた関連情報を格納した格納部と、
記録媒体に記録された前記映像コンテンツを再生して表示させる映像表示装置が、表示される前記映像コンテンツの時間軸に沿った進行に伴い、当該記録媒体から抽出した当該映像コンテンツを特定するコンテンツ識別子及び前記時間識別子を、当該映像表示装置から受信する受信部と、
前記受信部が受信した前記コンテンツ識別子及び前記時間識別子に関連付けされて前記格納部に格納された前記関連情報を、通信ネットワークを介して前記関連情報に対応する画像を表示可能な端末表示装置に送信する送信部とを備えたことを特徴とする関連情報送信装置。
【発明の詳細な説明】
【技術分野】
【０００１】
本発明は、記録媒体に格納された、又はテレビ放送されている映像コンテンツに関連する関連情報を送信する映像関連情報送信システム及び方法、そして、これらに用いられる関連情報送信装置に関する。
【背景技術】
【０００２】
近年、テレビ放送を初めとするコンテンツの提供はアナログからデジタルへ移行され、放送局からは放送される番組の映像データや音声データ（番組コンテンツ）だけではなく、番組コンテンツの関連情報として動画、静止画、音声、テキストなど様々なデジタルデータが付加されて放送されている。これら番組コンテンツに付加されたデジタルデータは、放送された番組コンテンツの映像データや音声データと同時もしくは独立してテレビ受信機に送られる。これにより、視聴者は、テレビ番組を視聴する際に、付加されたデータによって多くの番組コンテンツに関連する情報を得ることができる。
【０００３】
しかし、これらデジタルデータは、あくまでも付加データであり、本来の番組コンテンツの映像データや音声データの品質やデータ量を圧迫してまで送信することができない。よって、放送局側から送信される付加データは必然と限られたものとなる。そのため、これらの付加データでは十分な関連情報を視聴者に提供することができない場合があった。
【０００４】
他方、近年インターネットの普及は目覚ましく、パーソナルコンピュータ（ＰＣ）のほかスマートフォン、携帯電話、タブレット端末など様々な情報端末機器ではインターネットサーバ（Ｗｅｂサーバ）にアクセスしていろいろな情報を引き出すことができる。これら情報端末装置は、有線や無線で通信回線を通してサーバにアクセスされる。
【０００５】
このような背景から、テレビ視聴者は放送される番組を視聴しながら情報端末機器を用いて、追加情報などを検索して、自身が欲する詳しい情報を入手している。例えば、出演者の情報を得たり、出演者の着ている服などを購入したり、グルメ番組で紹介されたお店の場所を調べたり、旅行番組で紹介された旅行やホテルを予約している。つまり、視聴者はテレビ番組を視聴すると同時に情報端末機器を用いて、番組内の必要な追加情報を自分で調べて、アクセスし、時には商品を購入するなどの行動をとっている。
【０００６】
さらに、特許文献１には、放送内容に応じた広告データと、現在時刻との条件関係を含む広告データの送出条件とを格納したデータベースを備え、現在時刻が条件関係を満たすとき、ネットワークを介して広告データをネットワーク端末装置に送出可能とするネットワーク広告送信装置が開示されている。
【０００７】
この装置によれば、現在時刻に放送されている番組コンテンツに合わせてネットワーク上に広告データを送出することができる。これにより、テレビ受信機で視聴中の番組コンテンツに関連した広告データを視聴者が保持するネットワーク端末機器に送出することができるので、視聴者を広告に接触させる機会が増加し、広告効果を高めることができる。
【先行技術文献】
【特許文献】
【０００８】
【特許文献１】国際公開第２００８／０８１５９５号
【発明の概要】
【発明が解決しようとする課題】
【０００９】
しかしながら、特許文献１に記載された装置では、装置から送出する広告データは、リアルタイムの時刻情報に基づいており、放送データとは独立している。つまり、広告データと放送されている番組コンテンツとは直接的には何ら関連付けされていない。
【００１０】
ところで、民放放送局は、その収益を得るためにテレビ広告を番組と番組の合間や番組の途中で放送している。このテレビ広告は、１日２４時間、さらには日本民間放送連盟の自主規制により１日に放送可能な広告時間は制限されており、テレビ広告収入もこの時間によってその上限が制限される。テレビ広告は、制限された「時間を売る」ものであった。
【００１１】
しかし、放送された番組コンテンツをデジタル記録する録画装置が急速に普及しており、さらには、１週間に放送された全ての番組コンテンツを全部録画可能なタイムシフト型の大容量録画装置（ハードディスクレコーダなど）も販売されている。
【００１２】
そのため、録画再生時の視聴時には、テレビ広告を早送りや自動スキップなどで飛ばして番組を見る視聴者が増加してきており、民放放送局の重要な収入源である広告提供機会が失われてきている。なお、現在の民放放送局のテレビ広告の提供価格を決定する最大の要因は世帯視聴率である。しかし、録画再生の視聴は世帯視聴率に含まれないため、テレビ視聴率は下がり、テレビ広告の価値も低下の一途を辿っている。
【００１３】
こうした背景のもと、特許文献１に記載された装置では、リアルタイム放送の番組コンテンツのみを対象としており、録画された番組コンテンツに対応することはできない。そのため、録画装置による広告機会損失を解決することができないという大きな課題がある。
【００１４】
また、録画された番組コンテンツだけではなく、ＤＶＤなどのデジタル記録媒体に格納された映像コンテンツに応じて広告などの関連情報を、映像コンテンツの視聴時に、視聴者に提供することができれば、映像コンテンツに新たな価値を付与することができる。
【００１５】
さらに、特許文献１に記載された装置では、放送局が事前に放送を予定していた番組プログラムに基づく時間軸に沿ってしか広告データを送出することができない。そのため、放送中に登場する事物が確実には確定されていない生番組や、番組内容が急に変更した場合や野球中継などのスポーツ中継が延長されて後続番組の放送時刻に変更が生じた場合などには、実際に放送されている番組に対応して広告データを送出することは困難であるという課題がある。
【００１６】
本発明は、以上の点に鑑み、記録媒体に格納された、又はテレビ放送されている映像コンテンツに関連する関連情報を、映像コンテンツの視聴に合わせて視聴者に確実に提供することが可能な映像関連情報送信システム及び方法、並びに、これらに用いられる関連情報送信装置を提供することを目的とする。
【課題を解決するための手段】
【００１７】
本発明の映像関連情報送信システムは、記録媒体に記録された、ニュース、スポーツ、ドラマ、演芸、娯楽、討論の何れかであって、デジタル放送されたテレビ番組の映像コンテンツを再生して表示する表示部と、前記記録媒体に記録され、当該映像コンテンツを特定し、番組特定情報（Program Specific Information：ＰＳＩ）に含まれる情報からなるコンテンツ識別子、及び当該コンテンツ識別子で特定される前記映像コンテンツの時間軸に沿った進行を特定するための、番組配列情報のうちのＴＯＴ又はＴＤＴに含まれる情報からなる時間識別子を抽出して、当該コンテンツ識別子及び当該時間識別子を送信する送信部とを備えた映像表示装置と、前記映像表示装置と通信可能に接続され、画像を表示可能な表示部を備えた端末表示装置と、前記端末表示装置と通信可能に接続され、前記コンテンツ識別子及び当該コンテンツ識別子ごとに前記時間識別子に関連付けた関連情報を格納した格納部と、前記関連情報を通信ネットワークを介して送信する送信部とを備えた関連情報送信装置とから構成され、前記映像表示装置の前記送信部は、前記表示部で表示される前記映像コンテンツの時間軸に沿った進行に伴い、前記記録媒体に記録された前記時間識別子を送信し、前記関連情報送信装置は、前記コンテンツ識別子及び前記時間識別子を受信した場合、前記コンテンツ識別子に関して当該時間識別子に関連付けられて前記格納部に格納された前記関連情報を前記通信ネットワークを介して前記端末表示装置に送信し、前記端末表示装置は、受信した前記関連情報に対応する画像を当該端末表示装置の前記表示部に表示させることを特徴とする。
【００１８】
本発明の映像関連情報送信方法は、記録媒体に記録され、ニュース、スポーツ、ドラマ、演芸、娯楽、討論の何れかであって、デジタル放送されたテレビ番組の映像コンテンツを再生して表示部で表示する映像表示装置が前記記録媒体から抽出した、当該映像コンテンツを特定し、番組特定情報に含まれる情報からなるコンテンツ識別子、及び当該コンテンツ識別子で特定される前記映像コンテンツの時間軸に沿った進行を特定するための、番組配列情報のうちのＴＯＴ又はＴＤＴに含まれる情報からなる時間識別子を、前記表示部で表示される前記映像コンテンツの時間軸に沿った進行に伴い、関連情報送信装置が受信するステップと、前記関連情報送信装置が、前記コンテンツ識別子及び前記時間識別子に関連付けた関連情報を格納した格納部から、前記受信したコンテンツ識別子及び前記時間識別子に関連付けされた前記関連情報を、通信ネットワークを介して、前記関連情報に対応する画像を表示可能な端末表示装置に送信するステップとを備えたことを特徴とする。
【００１９】
これら本発明の映像関連情報送信システム又は方法によれば、映像表示装置で再生されている記録媒体に記録された映像コンテンツを特定するコンテンツ識別子が受信されたとき、当該コンテンツ識別子に関連付けられた関連情報が通信ネットワークを介して端末表示装置に送信される。そして、この端末表示装置には、映像表示装置で表示されている映像コンテンツに関連する画像が表示される。
【００２０】
従って、記録媒体に記録された映像コンテンツを映像表示装置で視聴する視聴者（正確には、観視する観視者、以下同じ）は、同時に当該映像コンテンツに関連する画像を端末表示装置で視認することができる。よって、記録媒体に記録された映像コンテンツに関連する有益な画像を映像と同時に視聴者に提供することが可能となるという新たなビジネスモデルを提供することができる。
また、映像表示装置で映像コンテンツを視聴する視聴者は、端末表示装置で視聴する映像コンテンツの時間軸の進行に沿って当該映像コンテンツに関連する画像を次々と視認することができる。
また、ニュース、スポーツ、ドラマ等のテレビ番組やテレビ広告に関連する関連情報を提供することができる。よって、これらテレビ番組やテレビ広告にさらなる広告的付加価値を与えることが可能となる。
【００２１】
本発明の関連情報送信装置は、ニュース、スポーツ、ドラマ、演芸、娯楽、討論の何れかであって、デジタル放送されたテレビ番組の映像コンテンツを特定し、番組特定情報に含まれる情報からなるコンテンツ識別子、及び当該コンテンツ識別子で特定される前記映像コンテンツの時間軸に沿った進行を特定するための、番組配列情報のうちのＴＯＴ又はＴＤＴに含まれる情報からなる時間識別子に関連付けた関連情報を格納した格納部と、記録媒体に記録された前記映像コンテンツを再生して表示させる映像表示装置が、表示される前記映像コンテンツの時間軸に沿った進行に伴い、当該記録媒体から抽出した当該映像コンテンツを特定するコンテンツ識別子及び前記時間識別子を、当該映像表示装置から受信する受信部と、前記受信部が受信した前記コンテンツ識別子及び前記時間識別子に関連付けされて前記格納部に格納された前記関連情報を、通信ネットワークを介して前記関連情報に対応する画像を表示可能な端末表示装置に送信する送信部とを備えたことを特徴とする。
【００２２】
これにより、前記本発明の映像関連情報送信システム又は方法を実現することが可能となる。
【００２９】
本発明の映像関連情報送信システムは、記録媒体に記録された、ニュース、スポーツ、ドラマ、演芸、娯楽、討論の何れかであって、デジタル放送されたテレビ番組の映像コンテンツを再生して表示する表示部と、前記記録媒体に記録され、当該映像コンテンツを特定し、番組特定情報に含まれる情報からなるコンテンツ識別子、及び当該コンテンツ識別子で特定される前記映像コンテンツの時間軸に沿った進行を特定するための、番組配列情報のうちのＴＯＴ又はＴＤＴに含まれる情報からなる時間識別子を抽出して、当該コンテンツ識別子及び当該時間識別子を送信する送信部とを備えた映像表示装置と、前記映像表示装置と通信可能に接続され、前記コンテンツ識別子及び当該コンテンツ識別子ごとに前記時間識別子に関連付けた関連情報を格納した格納部と、前記関連情報を通信ネットワークを介して送信する送信部とを備えた関連情報送信装置とから構成され、前記映像表示装置の前記送信部は、前記表示部で表示される前記映像コンテンツの時間軸に沿った進行に伴い、前記記録媒体に記録された前記時間識別子を送信し、前記関連情報送信装置は、前記コンテンツ識別子及び前記時間識別子を受信した場合、前記コンテンツ識別子に関して当該時間識別子に関連付けられて前記格納部に格納された前記関連情報を前記通信ネットワークを介して前記映像表示装置に送信し、前記映像表示装置は、受信した前記関連情報に対応する画像を前記表示部に表示させることを特徴とする映像関連情報送信システム。
【００３０】
本発明の映像関連情報送信システムによれば、映像表示装置で表示されている映像コンテンツを特定するコンテンツ識別子が関連情報送信装置で受信されたとき、当該コンテンツ識別子に関連付けられた関連情報が通信ネットワークを介して当該映像表示装置に送信される。そして、この映像表示装置では、表示されている映像コンテンツと共に当該映像コンテンツに関連する画像も表示される。
【００３１】
従って、映像コンテンツを映像表示装置で視聴する視聴者は、同時に当該映像コンテンツに関連する画像も同じ映像表示装置で視認することができる。よって、視聴している映像コンテンツに関連する有益な画像を映像コンテンツと同時に視聴者に提供することが可能となる。
また、映像表示装置で映像コンテンツを視聴する視聴者は、端末表示装置で視聴する映像コンテンツの時間軸の進行に沿って当該映像コンテンツに関連する画像を次々と視認することができる。
また、ニュース、スポーツ、ドラマ等のテレビ番組やテレビ広告に関連する関連情報を提供することができる。よって、これらテレビ番組やテレビ広告にさらなる広告的付加価値を与えることが可能となる。
【００３７】
本発明において、前記関連情報は、前記映像コンテンツの時間軸に沿った進行に沿って画像が連続して変化する映像データであることが好ましい。
【００３８】
この場合、映像表示装置で映像コンテンツを視聴する視聴者は、視聴する映像コンテンツの時間軸に沿った進行に伴い当該映像コンテンツに関連して連続的に変化する映像を端末表示装置で視認することができる。
【００３９】
本発明において、例えば、前記端末表示装置は、前記映像表示装置から送信された前記コンテンツ識別子を受信する受信部と、該受信部が受信した前記コンテンツ識別子を前記関連情報送信装置に送信する送信部とを備えていてもよい。ただし、前記映像表示装置が前記コンテンツ識別子を前記関連情報送信装置に直接送信してもよい。
【００４０】
本発明において、例えば、前記記録媒体は、前記映像コンテンツをデジタル読み出し可能に格納した記録媒体である。このような記録媒体として、例えば、ハードディスク、ＤＶＤ、ブルーレイディスク（Blu-ray Disc：登録商標）、メモリなどが挙げられる。
【００４１】
本発明において、例えば、前記映像コンテンツ及び前記コンテンツ識別子は、デジタル放送されたテレビ番組をビデオレコーディング形式（ＶＲ方式）やダイレクトレコーディング(ＤＲ方式)で前記記録媒体に記録したデータである。ただし、映像コンテンツ及びコンテンツ識別子、さらには時間識別子の記録方式は限定されない。
【００４２】
本発明において、前記映像表示装置は、デジタル放送されたテレビ番組の映像コンテンツ及び前記コンテンツ識別子を、無線又は有線の通信回線を介して受信する受信部と、該受信部が受信した前記映像コンテンツ及び前記コンテンツ識別子を前記記録媒体に記録する記録部とを備えていてもよい。
【００４３】
この場合、放送されたテレビ番組の映像コンテンツを記録部によって記録媒体に記録することができる。記録媒体に記録されたテレビ番組の映像コンテンツは、放送内容が確定されないリアルタイムの番組コンテンツとは異なり、内容が確定されている。そのため、視聴者に映像コンテンツに直接的に関連する有益な画像を映像コンテンツと同時に確実に提供することが可能となる。
【００４４】
本発明において、例えば、前記関連情報は、前記コンテンツ識別子が示す映像コンテンツに関連する広告情報である。そして、例えば、前記広告情報は、画像情報、映像情報、テキスト情報、音声情報の少なくとも何れかである。また、例えば、前記関連情報は、前記時間識別子に対応する前記映像コンテンツの進行中のシーンに関連する広告情報である。
【００４５】
これらの場合、視聴者に映像コンテンツに関連する広告を当該映像コンテンツと同時に提供することが可能となる。そして、映像コンテンツがデジタル放送されたテレビ番組の映像データである場合、録画によって奪われてきた広告提供機会を民放放送局に取り戻すことができる新たなビジネスモデルを構築することが可能となる。
【００４６】
さらに、視聴者は購買のための直接的な広告情報を得ることも可能となり、広告が実際に購買行動に直結させる可能性が高くなる。これにより、今まで十分に情報を提供できていなかったテレビ広告の広告効果を高めることができ、テレビ広告に新たな競争力を付与することができる。
【００４７】
さらに、インターネットなどの通信ネットワークを視聴者に直接、商品を購買させることなどが可能となる。すなわち、映像に映し出され視聴者に興味を喚起させたものを、映像の視聴時に瞬時的にそのまま「購買できる世界」を実現することが可能となる。
【００４８】
本発明において、例えば、前記通信ネットワークは、インターネットであり、前記通信回線は、有線又は無線である。
【００４９】
さらに、本発明において、前記関連情報送信装置の前記格納部は、前記端末表示装置に関連する端末データを格納しており、前記関連情報送信装置の前記送信部は、前記端末データに基づいて、前記関連情報を通信ネットワークを介して前記端末表示装置に送信することも好ましい。
【００５０】
この場合、送信される画像を端末表示装置ごとに変更することができる。従って、例えば、保有者の属性や嗜好性などに応じた画像が端末表示装置に表示され、保有者や広告主の満足度を向上させることが可能となる。
【００５１】
さらに、本発明において、前記関連情報送信装置の前記格納部は、前記端末表示装置に関連する端末データを格納しており、前記関連情報送信装置の前記送信部は、前記端末データ又は前記端末表示装置から送信されたデータに基づいて、前記時間識別子を前記端末表示装置に送信することも好ましい。
【００５２】
この場合、端末表示装置の操作者は、受信した時間識別子に対応する映像コンテンツを映像表示装置で視聴することが可能となる。従って、例えば、保有者の属性や嗜好性などに応じた映像コンテンツやお勧めの映像シーンなどを、早送りや巻き戻しなどで瞬時的に視聴することが可能となる。これにより、例えば、関連情報を提供する広告主は、顧客の潜在的ニーズを逃さず、広告を提供することが可能となる。
【図面の簡単な説明】
【００５３】
【図１】本発明の第１実施形態に係る映像関連情報送信システムをブロック図。
【図２】（ａ）はメタデータサーバに格納されたテーブルの一例を、（ｂ）は関連情報サーバに格納されたテーブルの一例をそれぞれ示す図。
【図３】（ａ）はメタデータサーバに格納されたテーブルの他の一例を、（ｂ）は関連情報サーバに格納されたテーブルの他の一例をそれぞれ示す図。
【図４】本発明の第２実施形態に係る映像関連情報送信システムをブロック図。
【発明を実施するための最良の形態】
【００５４】
以下、本発明の第１実施形態に係る映像関連情報送信システム１００を図面に基づいて説明する。
【００５５】
図１に示すように、映像関連情報送信システム１００は、映像表示装置１０、端末表示装置２０、及び関連情報送信装置３０とから構成されている。そして、映像表示装置１０と端末表示装置２０とは通信回線４０を介して通信可能に接続され、端末表示装置２０と関連情報送信装置３０とは通信ネットワーク５０を介して通信可能に接続されている。
【００５６】
映像表示装置１０は、テレビ放送受信部（チューナ）１１、信号復調部１２、映像表示部１３、音声出力部１４及び送信部１５を備え、例えば、家庭内などに設置されている。さらに、映像表示装置１０は、記録部１６、再生部１７、及び制御部１８などを備えている。
【００５７】
テレビ放送受信部１１は、テレビ放送局Ａが発信したデジタルテレビ放送信号を受信する。テレビ放送受信部１１は、例えば、地上デジタル放送信号、ＢＳデジタル放送信号、ＣＳデジタル放送信号を受信する。また、テレビ放送受信部１１は、ケーブルテレビ局からケーブルを介して発信されたデジタルテレビ放送信号や、インターネットなどを用いてストリーミング放送されたデジタルテレビ放送信号を受信するものであってもよい。
【００５８】
テレビ放送局Ａが発信するデジタルテレビ放送信号には、映像データ及び音声データなどからなる番組コンテンツデータのほか、データ放送用コンテンツデータや、ＰＳＩ（Program Specific Information：番組特定情報）、ＳＩ（Service Information：番組配列情報）と呼ばれる番組データなどの付加データが付加されている。
【００５９】
ＳＩには、ＥＩＴ（Event Information Table）、ＳＤＴ（Service Description Table）、ＴＯＴ（Time Offset Table）、ＴＤＴ（Time Date Table）などのデジタルデータが含まれている。
【００６０】
ＥＩＴは、番組の名称、放送日時（放送開始日時、放送終了日時）、番組内容の説明などを示す情報を含んでいる。ＳＤＴは、編成チャンネルの名称、放送事業者の名称など、編成チャンネルに関する情報を含んでいる。
【００６１】
ＴＯＴは、現在の時刻、日付、及び、実際の時刻と人間系への表示時刻の差分時間（サマータイム）を指定する情報を含んでいる。ＴＤＴは、現在の日付及び時刻を示す情報を含んでいる。なお、ＴＯＴには、ＴＤＴに含まれる情報が全て含まれており、現在の日本のデジタルテレビ放送信号には、ＴＤＴは含まれていない。
【００６２】
信号復調部１２は、テレビ放送受信部１１が受信したデジタルテレビ放送信号に対してデジタル復調や誤り訂正などの処理を施して、トランスポートストリーム（ＴＳ：Transport Stream）を出力する。
【００６３】
映像表示部１３は、記録媒体に格納された録画済みのテレビ番組コンテンツ（以下、録画コンテンツという）や放送中のテレビ番組コンテンツなどの映像コンテンツを表示する。なお、映像表示部１３は、データ放送用コンテンツの映像を表示することもできる。映像表示部１３は、例えば、液晶ディスプレイ、プラズマディスプレイ、有機ＥＬディスプレイである。
【００６４】
音声出力部１４は、記録媒体に格納された録画コンテンツや放送中のテレビ番組コンテンツなどの音声を出力する。なお、音声出力部１４は、データ放送用コンテンツの音声を出力することもできる。音声出力部１４は、例えば、スピーカである。なお、録画コンテンツやテレビ番組コンテンツは、ニュース、スポーツ、ドラマ、演芸、娯楽、討論などテレビ放送されるコンテンツであれば何ら限定されず、その途中又は前後にテレビ広告を含むものであってもよい。
【００６５】
送信部１５は、通信回線４０を介して端末表示装置２０にデータを送信する。
【００６６】
記録部１６は、テレビ放送受信部１１で受信したデジタルテレビ放送信号を記録媒体に記録する。記録媒体は、例えば、ハードディスク、ＤＶＤ、ブルーレイディスク（Blu-ray Disc、登録商標）、メモリなどである。
【００６７】
記録部１６がデジタルテレビ放送信号を記録媒体に記録する方式は、特に限定されないが、番組コンテンツデータと共に、番組特定情報（ＰＳＩ）や番組配列情報（ＳＩ）を記録することが好ましい。よって、記録部１６は、テレビ放送局が発信するデジタルテレビ放送信号を信号復調部１２で処理したトランスポートストリームに関する全てのデータを記録するＴＳ方式で記録することが好ましい。
【００６８】
例えば、記録部１６は、ＤＶＤに記録する場合、ＶＲ（Video Recording）方式によってトランスポートストリームを記録すればよい。ただし、記録部１６は、ＤＶＤに記録する場合、ビデオ方式によって記録してもよい。また、例えば、記録部１６は、ブルーレイディスクに記録する場合、ＤＲ（Direct Recording）方式によってトランスポートストリームを記録すればよい。ただし、記録部１６は、ブルーレイディスクに記録する場合、ＡＶＣ（Advance Video Recording）方式によって記録してもよい。ビデオ方式やＡＶＣ方式で記録した場合、番組コンテンツデータと共に、予め定めた任意の形式の番組コンテンツを特定する情報（コンテンツ識別子）も記録する。
【００６９】
再生部１７は、記録媒体に記録されたコンテンツの映像を映像表示部１３に、音声を音声出力部１４に出力する。
【００７０】
制御部１８は、プログラムを実行して各種の情報処理などを行って各部の制御を行い、例えば、図示しないＲＡＭやＲＯＭなどが接続されたＣＰＵから構成されている。ＲＡＭはＣＰＵが処理を行う際のワーキングメモリを提供し、ＲＯＭには、映像表示装置１０を動作させるための基本的なプログラムやパラメータなどが格納されている。
【００７１】
制御部１８は、テレビジョン放送信号に基づく番組コンテンツの映像を映像表示部１３に表示させる。詳しくは、制御部１８は、信号復調部１２から出力されたテレビジョン放送信号（トランスポートストリーム）を解読して、当該トランスポートストリームを構成する各ＴＳパケットを判別する。そして、制御部１８は、番組に関連するＴＳパケットに係るデータを、映像データ、音声データ、番組配列情報（ＳＩ）等の複数のストリームに分離する。さらに、制御部１８は、分離された映像データにデコード等の所定の処理を施して、映像表示部１３に出力すると共に、分離された音声データにデコード等の所定の処理を施して、音声出力部１４に出力する。
【００７２】
また、制御部１８は、番組配列情報（ＳＩ）からＥＩＴ、ＳＤＴ、ＴＯＴ、ＴＤＴなどを抽出して送信部１５に出力する。このように、制御部１８は、ＴＳパケットからコンテンツ特定識別子や時間識別子を抽出する抽出部として機能する。
【００７３】
端末表示装置２０は、受信部２１、送受信部（通信部）２２、表示部２３、操作部２４、及び制御部２５を備えている。端末表示装置２０は、例えば、スマートフォン、携帯電話、タブレット端末、携帯型情報端末（ＰＤＡ：Personal Digital Assistance）、ノートパソコン、ラップトップパソコン、デスクトップパソコン等のパーソナルコンピュータ（ＰＣ）などである。
【００７４】
受信部２１は、通信回線４０を介して映像表示装置１０からデータを受信する。
【００７５】
送受信部２２は、通信ネットワーク５０を介して関連情報送信装置３０とデータを送受信する。
【００７６】
表示部２３は、送受信部２２で受信した関連情報に含まれる画像情報に対応する画像を表示する。なお、この画像は、静止画であっても動画（連続した画像）であっても、単なる文字列であってもよい。表示部２３は、例えば、液晶ディスプレイ、プラズマディスプレイ、有機ＥＬディスプレイである。
【００７７】
表示部２３に表示される画像は、端末表示装置２０に格納されたソフトウェアプログラムによって表示される。このソフトウェアプログラムは、専用プログラムであっても、予め組み込まれたＷｅｂブラウザなどの汎用プログラムであってもよい。また、この画像は、放送プログラム又は放送局専用の画像であっても、汎用のＷｅｂブラウザの一部であってバナーと呼ばれる部分などであってもよい。
【００７８】
操作部２４は、端末表示装置２０を操作する操作者が操作するものであり、例えば、ボタン、スイッチ、キーボード、タッチパネルなどである。
【００７９】
なお、図示しないが、端末表示装置２０は、送受信部２２で受信した関連情報に含まれる音声データに対応する音声を出力する、スピーカなどからなる音声出力部を備えていてもよい。
【００８０】
制御部２５は、プログラムを実行して各種の情報処理などを行って各部の制御を行い、例えば、図示しないＲＡＭやＲＯＭなどが接続されたＣＰＵから構成されている。ＲＡＭはＣＰＵが処理を行う際のワーキングメモリを提供し、ＲＯＭには、端末表示装置２０を動作させるための基本的なプログラムやパラメータなどが格納されている。
【００８１】
制御部２５は、受信部２１で受信した端末表示装置２０からのデータを、送受信部２２によって、通信ネットワーク５０を介して関連情報送信装置３０に送信させる。そして、制御部２５は、送受信部２２で受信した関連情報送信装置３０からの関連情報に基づいたコンテンツの画像を表示部２３に表示させる。また、制御部２５は、操作部２４から入力された指示に基づいて変更させたコンテンツの画像を表示部２３に表示させる。さらに、制御部２５は、操作部２４から入力された指示を、通信ネットワーク５０を介して関連情報送信装置３０に送信させる。
【００８２】
関連情報送信装置３０は、送受信部３１、Ｗｅｂサーバ３２、顧客管理サーバ３３、メタデータサーバ３４及び関連情報サーバ３５を備えている。これら各サーバ３２〜３５が、本発明の格納部に相当する。関連情報送信装置３０は、例えば、テレビ放送局Ａに設けられる。
【００８３】
各サーバ３２〜３５は、市販のパーソナルコンピュータやサーバ装置から構成されている。サーバ３２〜３５は、通信ネットワーク５０上に集中して配置されてもよいし、分散して配置されてもよい。また、各サーバ３２〜３５は、図では単一であるが、複数個又は階層構造からなるものであってもよく、その形態は限定されない。さらに、サーバ３２〜３５のうち幾つかもしくは全てのサーバを組み合わせて構成してもよい。
【００８４】
送受信部３１は、通信ネットワーク５０を介して端末表示装置２０とデータを送受信する。
【００８５】
Ｗｅｂサーバ３２は、Ｗｅｂページを表示させるためのＨＴＭＬ（HyperText Markup Language：ハイパーテキスト マークアップ ランゲージ）文書、ＢＭＬ（Broadcast Markup Language：ブロードキャスト マークアップ ランゲージ）文書などを端末表示装置２０に供給する。
【００８６】
顧客管理サーバ３３は、顧客に関する情報を管理する。顧客管理サーバ３３は、顧客（端末表示装置２０のユーザ）の顧客情報（例えば顧客ＩＤ、パスワード、決済用情報（銀行口座、クレジットカード番号等）、端末表示装置２０の機器ＩＤ、顧客が購入した商品の履歴情報などを対応付けて管理する。
【００８７】
メタデータサーバ３４は、映像コンテンツに対応する関連情報を管理し、他のサーバに必要な情報を提供する。メタデータサーバ３４は、映像コンテンツを特定するコンテンツ識別子と、コンテンツに関連する関連情報を特定する関連情報識別子などを対応付けて管理する。コンテンツ識別子は、例えば、ＥＩＴ、ＳＤＴに含まれる情報のうち映像コンテンツを特定するための情報からなる識別子である。関連情報識別子は、例えば、コンテンツに関連する広告情報を特定するための識別子である。
【００８８】
メタデータサーバ３４には、例えば、図２（ａ）に示すように、コンテンツ識別子Ｃ１，Ｃ２，Ｃ３，・・・と関連情報識別子Ｒ１，Ｒ２，Ｒ３，・・・とがテーブルに格納されている。
【００８９】
関連情報サーバ３５は、関連情報を管理する。関連情報サーバ３５は、関連情報識別子、コンテンツに関連する関連情報などを対応付けて管理する。関連情報は、例えば、映像コンテンツに関連する広告情報である。また、関連情報サーバ３５は、送受信部３１を介して、関連情報を端末表示装置２０に送信する。
【００９０】
関連情報サーバ３５には、例えば、図２（ｂ）に示すように、関連情報識別子Ｒ１，Ｒ２，Ｒ３，・・・と関連情報Ｄ１，Ｄ２，Ｄ３，・・・とがテーブルに格納されている。
【００９１】
関連情報は、例えば、番組出演者の着用している服飾、旅行番組で紹介されたホテル、レストランなどの広告情報である。また、関連情報は、番組の前回までのあらすじ、番組出演者のプロフィール、旅行番組で紹介された旅行やホテルなどの追加情報であってもよい。さらに、関連情報は、視聴者が参加可能なクイズやアンケートなどの情報であってもよい。
【００９２】
通信回線４０は、映像表示装置１０と端末表示装置２０との間で通信可能であれば、有線でも無線でもよく特に限定されない。通信回線４０は、例えば、ＷｉＦｉ（登録商標）を用いた無線ＬＡＮ、Ｂｌｕｅｔｏｏｔｈ（登録商標）、赤外線通信などを利用したものである。なお、通信回線４０は、映像表示装置１０から端末表示装置２０に情報が少なくとも送信可能なものであればよいが、映像表示装置１０と端末表示装置２０との間で情報が双方向に通信可能なものであってもよい。
【００９３】
通信ネットワーク５０は、例えばインターネットである。インターネットを実現する手段は限定されない。ただし、通信ネットワーク５０は、ケーブルネットワーク、携帯電話網（パケット通信網）、ＰＨＳ網などの任意のネットワークであってもよい。
【００９４】
以上のように構成された映像関連情報送信システム１００においては、記録媒体に記録された映像コンテンツを再生して映像表示部１３で表示している映像表示装置１０は、当該映像コンテンツを特定するコンテンツ識別子を抽出して、端末表示装置２０に送信する。そして、端末表示装置２０は受信したコンテンツ識別子を関連情報送信装置３０に転送する。コンテンツ識別子を受信した関連情報送信装置３０は、コンテンツ識別子に関連情報識別子を介して対応付けされた関連情報を端末表示装置２０に送信する。これにより、記録媒体に記録された映像コンテンツの映像表示装置１０での再生表示時に、端末表示装置２０に当該映像コンテンツに関連する画像が表示される。
【００９５】
従って、映像表示装置１０で映像コンテンツを視聴する視聴者は、映像コンテンツを視聴すると同時に端末表示装置２０で当該映像コンテンツに関連する画像を視認することができる。具体的には、コンテンツ識別子Ｃ１で特定される映像コンテンツを映像表示装置１０で視聴する視聴者は、関連情報Ｄ１に係る画像を端末表示装置２０で同時に視認することができる。
【００９６】
よって、視聴している映像コンテンツに関連する有益な画像を映像コンテンツと同時に視聴者に提供することが可能となる。よって、例えば、関連情報が広告情報である場合、高い広告効果を新たに得ることが可能となる。
【００９７】
従来は、映像コンテンツの視聴と同時にインターネット等で広告情報を送出することができなかったので、実際の購買行動に繋がるような高付加価値を有する広告宣伝を映像コンテンツに連動させて提供することはできなかった。本実施形態では、高い広告効果を有する新たな広告機会を映像コンテンツに連動させて提供することが可能となる。これにより、記録媒体に記録された映像コンテンツに新たな価値を付与することができる。
【００９８】
また、上記特許文献１に記載されたような装置では、リアルタイムで進行する生放送番組など、放送中に登場する広告対象物などの事物が事前には確実には確定されていない場合、これら事物に対応する関連情報を予め関連情報サーバ３５に格納しておき、番組の進行に合わせて瞬時に関連情報を送信することは困難であった。また、番組内容が急に変更した場合や野球中継などのスポーツ中継が延長されて後続番組の放送時刻に変更が生じた場合などには、放送局が事前に放送を予定していた番組プログラムに基づく時間軸に沿った関連情報しか関連情報サーバ３５には格納されていないため、番組内容の変更に合わせて関連情報を送信することは困難であった。しかし、録画コンテンツを利用する本実施形態では、番組内容や放送時刻が変更された番組であっても、実際に放送された番組に対応させた関連情報を番組放送時点で関連情報サーバ３５に格納すればよいので、このような問題はない。
【００９９】
さらに、生放送番組やスポーツ中継など、テレビ広告が放送される時刻が事前に確定されていない場合には、上記特許文献１に記載されたような装置では、テレビ広告が放送されている時刻に合わせて、テレビ広告に関連する関連情報を視聴者に提供することは困難であった。しかし、録画コンテンツを利用する本実施形態では、番組が放送された時点で実際に放送された番組の時間軸に沿って関連情報を端末表示装置２０に関連情報送信装置３０から関連情報を送信すればよいので、テレビ広告が放送されている時刻に合わせて、テレビ広告に関連する関連情報を視聴者に提供することが可能となる。
【０１００】
また、映像コンテンツはテレビ広告であり、このテレビ広告で宣伝広告される商品やサービスに関する情報を関連情報とすることもできる。この場合、例えば、商品やサービスに関する詳細な情報や視聴者に合わせた情報を関連情報とすることによって、テレビ広告に付加価値を与えることが可能となる。また、例えば、商品やサービスを購入するための情報を関連情報とすることによって、テレビ広告で広告宣伝された商品やサービスに関するさらなる詳細情報を視聴者に告知することや、さらには、ＥＣ（Electronic Commerce：電子商取引）を介して視聴者が直接的に購入することも可能となる。
【０１０１】
なお、関連情報は、映像コンテンツの進行に合わせて変化することが好ましい。この場合、映像表示装置１０で映像コンテンツを視聴する視聴者は、映像コンテンツの時間軸に沿った進行に合わせて、当該映像コンテンツに連動した画像を端末表示装置２０で同時に視認することができる。よって、例えば、関連情報が広告情報である場合、映像コンテンツに連動した高い広告効果を有する広告機会を新たに提供することが可能となる。
【０１０２】
さらに、メタデータサーバ３４は、コンテンツ識別子ごとに、映像コンテンツの時間軸に沿った進行を特定するための時間識別子、関連情報識別子などを対応付けて管理することが好ましい。時間識別子は、例えば、ＴＯＴ、ＴＤＴに含まれる情報のうち番組コンテンツの進行を特定するための時間に関する情報からなる識別子である。時間識別子は、例えば、放送日時を特定する識別子や、映像コンテンツの開始時からの経過時間を特定する識別子である。
【０１０３】
メタデータサーバ３４には、例えば、図３（ａ）に示すように、コンテンツ識別子Ｃ１に対して、時間識別子Ｔ１１，Ｔ１２，Ｔ１３，・・・と関連情報識別子Ｒ１１，Ｒ１２，Ｒ１３，・・・とがテーブルに格納されている。さらに、メタデータサーバ３４には、コンテンツ識別子Ｃ２に対して、時間識別子Ｔ２１，Ｔ２２，Ｔ２３，・・・と関連情報識別子Ｒ２１，Ｒ２２，Ｒ２３，・・・とがテーブルに格納されている。
【０１０４】
そして、関連情報サーバ３５は、時間識別子、時間識別子で特定される映像コンテンツの進行中の場面に関連する情報（例えば、映像コンテンツの進行中の場面に関連する広告情報）などを対応付けて管理することが好ましい。
【０１０５】
関連情報サーバ３５には、例えば、図３（ｂ）に示すように、関連情報識別子Ｒ１１，Ｒ１２，Ｒ１３，・・・，Ｒ２１，Ｒ２２，Ｒ２３，・・・と関連情報Ｄ１１，Ｄ１２，Ｄ１３，・・・，Ｄ２１，Ｄ２２，Ｄ２３，・・・とがテーブルに格納されている。
【０１０６】
これにより、映像表示装置１０で映像コンテンツを視聴する視聴者は、映像コンテンツを視聴すると同時に当該映像コンテンツの時間軸の進行に合わせて映像コンテンツの場面に関連する画像を端末表示装置２０で視認することができる。よって、視聴している映像コンテンツに関連する有益な画像を映像コンテンツの進行に合わせて視聴者に提供することが可能となる。
【０１０７】
具体的には、コンテンツ識別子Ｃ１で特定される映像コンテンツを映像表示装置１０で視聴する視聴者は、時間識別子Ｔ１で特定される時間（時刻）における映像コンテンツの進行中の場面を視聴するときに、関連情報Ｄ１１に係る画像を端末表示装置２０で視認することができる。よって、例えば、関連情報が広告情報である場合、より高い広告効果を有する広告機会を提供することが可能となる。
【０１０８】
このようにメタデータサーバ３４で、コンテンツ識別子ごとに、時間識別子、関連情報識別子などを対応付けて管理すると共に、関連情報サーバ３５で、時間識別子、時間識別子で特定される時間における映像コンテンツの場面に関連する関連情報などを対応付けて管理することが好ましい。
【０１０９】
これによれば、視聴者が録画コンテンツを早送りや巻き戻して視聴しても、録画コンテンツの視聴シーンに対応した関連する画像を端末表示装置２０に表示させることができる。よって、例えば、関連情報が広告情報である場合、より高い広告効果を有する広告機会を提供することが可能となる。さらには、テレビ広告の範疇を超えてそのままＥＣを介して、例えばアフィリエイトによって、又は、ワンクリックなどで実際に販売された商品売上に対して対価を得ることも可能となる。
【０１１０】
また、顧客管理サーバ３３で管理された顧客情報に対応させて、端末表示装置２０に送信する関連情報を変更することも好ましい。例えば、顧客管理サーバ３３で、性別、年齢、居住地、職業、趣味、未婚・既婚などの顧客情報を管理しておき、これら顧客情報に基づいた視聴者の属性嗜好性を対応させて関連情報を送信すればよい。これにより、個々の視聴者の属性嗜好性に合った広告などの有益な画像を映像コンテンツと同時に提供することが可能となる。また、逆に、このような効果のため、視聴者に自身の情報を登録することを促すことができ、視聴者に関する有益な情報を広告主が把握することも可能となる。
【０１１１】
また、顧客管理サーバ３３は、属性などの情報を登録した視聴者や匿名の視聴者などの視聴者が関連情報を得るために、端末表示装置２０からアクセスした態様（時間、地域、関連情報に対する反応）などの情報を記録して、収集されたこれらの情報を分析する機能を有していてもよい。この場合、視聴者への関連情報の送信数、関連情報に対して反応した購買行動数などの具体的な数値情報を得て、関連情報の提供者である広告主などに提供することによって対価を得るというビジネスモデルを構築することができる。これにより、従来のテレビ広告と比較して広告到達度が明確になり、広告主は映像コンテンツを介した広告の費用対効果や投資効果を的確に把握することが可能となる。
【０１１２】
また、関連情報として、視聴者の趣向に合ったシーンを見逃さないように警報を報知する情報を端末表示装置２０に送信してもよい。
【０１１３】
また、番組放送後に関連情報を適宜更新することが好ましい。例えば、関連情報が広告情報である場合、販売終了、セール中、店舗閉鎖などの最新情報を関連情報に入れ込むことが可能となり、より高い広告効果を有する広告機会を提供することが可能となる。また、例えば、関連情報が番組の前回までのあらすじ、番組出演者のプロフィール、旅行番組で紹介された旅行やホテルなどの追加情報である場合も、情報を逐次更新することによって、最新の有益な情報を視聴者に提供することが可能となる。
【０１１４】
また、受信した時間識別子を追跡することによって、関連情報送信装置３０は映像コンテンツが早送りされたことなどを認識することが可能となる。そこで、視聴者の趣向に合ったシーンが早送りされて見逃されたような場合、関連情報として、ある時間分だけ巻き戻して再生するように視聴者に促す旨の情報を端末表示装置２０に送信してもよい。
【０１１５】
さらに、番組放送時にＳＮＳ（Social Networking Service：ソーシャル・ネットワーキング・サービス）などで話題になったシーンを、当該シーンの時間に関する時間識別子に対応させて関連情報として蓄積してもよい。これにより、番組コンテンツの話題になったシーンを視聴したいという視聴者に対して、映像コンテンツの再生時に、話題になったシーンまでの経過時間などを知らせる情報を端末表示装置２０に送信してもよい。
【０１１６】
なお、記録媒体に記録された映像コンテンツは、デジタルテレビ放送された番組コンテンツを録画したものに限定されず、市販のＤＶＤやブルーレイディスクなどのデジタル再生記録媒体に記録されたコンテンツであってもよい。この場合、映像表示装置１０は、テレビ放送受信部１１及び信号復調部１２を備えていなくともよい。また、記録媒体に記録された録画コンテンツは、インターネット等の通信ネットワークを介してダウンロードして記録媒体に一時的に又は長期的に記録したものであってもよい。
【０１１７】
さらに、映像関連情報送信システム１００において、映像表示装置１０がデジタルテレビ放送中の映像コンテンツ、すなわち番組コンテンツの映像を表示している場合、映像表示装置１０は、当該番組コンテンツを特定するコンテンツ識別子を抽出して、端末表示装置２０に送信する。そして、端末表示装置２０は受信したコンテンツ識別子を関連情報送信装置３０に転送する。コンテンツ識別子を受信した関連情報送信装置３０は、当該コンテンツ識別子に関連情報識別子を介して対応付けされた関連情報を端末表示装置２０に送信する。これにより、端末表示装置２０では、映像表示装置１０で表示されている生放送中の番組コンテンツに関連する画像が表示される。
【０１１８】
従って、映像表示装置１０で番組コンテンツを視聴する視聴者は、生放送中の番組コンテンツを視聴すると同時に端末表示装置２０で当該番組コンテンツに関連する画像を視認することができる。よって、生放送中の番組コンテンツでも録画コンテンツと同様に、視聴している番組コンテンツに関連する有益な画像を番組コンテンツと同時に視聴者に提供することが可能となる。従って、例えば、関連情報が広告情報である場合、高い広告効果を有する広告機会を提供することが可能となる。
【０１１９】
そして、関連情報は、予めテレビ放送局で定められた番組コンテンツの進行に合わせて変化することが好ましい。この場合、映像表示装置１０で番組コンテンツを視聴する視聴者は、番組コンテンツの時間軸に沿った進行に合わせて、当該番組コンテンツに関連して変化する画像を端末表示装置２０で同時に視認することができる。
【０１２０】
また、上記特許文献１に記載されたような装置では、リアルタイムの時刻情報に基づいて広告データが送出されるが、本実施形態では、関連情報送信装置３０が受信したコンテンツ識別子に関連した関連情報が端末表示装置２０に送信されるので、番組の放送時刻が変更された場合であっても、実際に放送されていた番組に関連した画像を視聴者に提供することができる。
【０１２１】
さらに、生放送番組やスポーツ中継など、テレビ広告が放送される時刻が事前に確定されていない場合には、上記特許文献１に記載されたような装置では、テレビ広告が放送されている時刻に合わせて、テレビ広告に関連する関連情報を視聴者に提供することは困難であった。しかし、本実施形態では、例えば、あるテレビ広告に対応したコンテンツ識別子を関連情報送信装置３０が受信したとき、当該コンテンツ識別子に関連付けられた関連情報が端末表示装置２０に送信されるので、番組途中に挿入されるテレビ広告の放送時刻に合わせて、当該テレビ広告に関連した画像を視聴者に提供することができる。
【０１２２】
以下、本発明の第２実施形態に係る映像関連情報送信システム２００を図面に基づいて説明する。
【０１２３】
図４に示すように、映像関連情報送信システム２００は、映像表示装置６０及び関連情報送信装置３０から構成されている。そして、映像表示装置６０と関連情報送信装置３０とは通信ネットワーク５０を介して通信可能に接続されている。
【０１２４】
映像表示装置６０は、上述した映像関連情報送信システム１００における映像表示装置１０と端末表示装置２０とを一体化したものである。
【０１２５】
映像表示装置６０は、テレビ放送受信部１１、信号復調部１２、映像表示部６１、音声出力部１４、記録部１６、再生部１７、送受信部２２、操作部２４及び制御部６２を備えている。映像表示装置６０は、例えば、チューナを有するパソコンテレビである。映像表示装置６０は、また、地上デジタルテレビ１セグメント放送を受信可能なスマートフォン、携帯電話、タブレット端末、携帯型情報端末などであってもよい。
【０１２６】
映像表示装置６０は、映像表示装置１０と端末表示装置２０とが一体化されているので、これらの間を通信するための構成を省略することができる。
【０１２７】
そして、映像表示部６１は、記録媒体に記録された映像コンテンツや番組コンテンツの映像を表示すると共に、送受信部２２で受信したコンテンツの画像も表示する。なお、映像表示部６１は、表示画面を主画面と副画面に区分して、主画面で映像コンテンツを表示し、副画面で画像を表示すればよい。また、映像表示部６１は、映像コンテンツを表示する画面に画像を重ね合わせて表示してもよい。
【０１２８】
以上のように構成された映像関連情報送信システム２００においては、映像コンテンツを表示している映像表示装置６０は、当該映像コンテンツを特定するコンテンツ識別子を抽出して、関連情報送信装置３０に送信する。コンテンツ識別子を受信した関連情報送信装置３０は、当該コンテンツ識別子に関連情報識別子を介して対応付けされた関連情報を映像表示装置６０に送信する。これにより、映像表示装置６０では、映像コンテンツに関連する画像が表示される。
【０１２９】
従って、映像表示装置６０で映像コンテンツを視聴する視聴者は、映像コンテンツを視聴すると同時に当該映像コンテンツに関連する画像を視認することができる。よって、視聴している映像コンテンツに関連する有益な画像を映像コンテンツと同時に視聴者に提供することが可能となる。従って、例えば、関連情報が広告情報である場合、高い広告効果を有する広告機会を提供することが可能となる。
【０１３０】
なお、映像表示装置６０は、テレビ放送受信部１１及び信号復調部１２を備えていなくともよい。
【０１３１】
以上、本発明の実施形態について説明したが、本発明はこれに限定されない。
【符号の説明】
【０１３２】
１０…映像表示装置、  １１…テレビ放送受信部、  １２…信号復調部、  １３…映像表示部（表示部）、  １４…音声出力部、  １５…送信部、  １６…記録部、  １７…再生部、  １８…制御部、  ２０…端末表示装置、  ２１…受信部、  ２２…送受信部、  ２３…表示部、  ２４…操作部、  ２５…制御部、３０…関連情報送信装置、  ３１…送受信部、  ３２…Ｗｅｂサーバ（格納部）、  ３３…顧客管理サーバ（格納部）、  ３４…メタデータサーバ（格納部）、  ３５…関連情報サーバ３５（格納部）、  ４０…通信回線、  ５０…通信ネットワーク、  ６０…映像表示装置、  ６１…映像表示部、  ６２…制御部、  １００，２００…映像関連情報送信システム。
【図１】
0005420023.tif 000002
【図２】
0005420023.tif 000003
【図３】
0005420023.tif 000004
【図４】
0005420023.tif 000005